(57)【要約】【課題】  １つの画素が第１の副画素と第２の副画素からなる液晶表示装置の消費電力の低減と、画質の劣化の防止を両立させる。【解決手段】  隣接する２本の走査信号線の間に、第１のＴＦＴ素子および第１の画素電極ならびに第１の保持容量電極を有する第１の副画素と第２のＴＦＴ素子および第２の画素電極ならびに第２の保持容量電極を有する第２の副画素とが配置されており、第１のＴＦＴ素子と第２のＴＦＴ素子とはゲートが異なる走査信号線に接続しており、第１の保持容量電極と第２の保持容量電極とが電気的に接続しており、１フレーム期間中に第１の画素電極に加える階調電圧と共通電極との電位差と、第２の画素電極に加える階調電圧と共通電極との電位差との関係が同じ関係である場合、第１の保持容量電極および第２の保持容量電極の電位は、第１のＴＦＴ素子または第２のＴＦＴ素子のいずれかがオンになっている期間に変動する液晶表示装置。【選択図】        図６（ａ）
2010134032.tif 000002
【特許請求の範囲】
【請求項１】
複数本の走査信号線と、複数本の映像信号線と、複数の画素と、
前記複数本の走査信号線のそれぞれに走査信号を加える第１の回路と、
前記複数本の映像信号線のそれぞれに映像信号を加える第２の回路とを有し、
前記画素は、第１のＴＦＴ素子および第１の画素電極を有する第１の副画素と、第２のＴＦＴ素子および第２の画素電極を有する第２の副画素とからなり、
前記第１の副画素は、前記第１の画素電極、共通電極、および液晶層により形成される第１の液晶容量と、前記第１の画素電極、第１の保持容量電極、および絶縁層により形成される第１の保持容量とを有し、
前記第２の副画素は、前記第２の画素電極、前記共通電極、および前記液晶層により形成される第２の液晶容量と、前記第２の画素電極、第２の保持容量電極、および絶縁層により形成される第２の保持容量とを有し、
１つの前記画素の前記第１のＴＦＴ素子と前記第２のＴＦＴ素子とは、ゲートが同じ前記走査信号線に接続し、ドレインが同じ前記映像信号線に接続しており、
１つの前記画素の前記第１の保持容量電極と前記第２の保持容量電極とは、電気的に独立しており、
２本の隣接する走査信号線の間には、一方の前記走査信号線にゲートが接続している前記第２のＴＦＴ素子を有する前記第２の副画素と、他方の前記走査信号線にゲートが接続している前記第１のＴＦＴ素子を有する前記第１の副画素とが配置されており、
それぞれの前記画素における前記第１の副画素、前記走査信号線、および前記第２の副画素の位置関係が同じ関係である液晶表示装置であって、
当該液晶表示装置は、前記第１の保持容量電極および前記第２の保持容量電極に保持容量形成用の給電信号を加える保持容量用給電配線および第３の回路を有し、
２本の隣接する前記走査信号線の間に配置された前記第２の副画素の前記第２の保持容量電極と、前記第１の副画素の前記第１の保持容量電極とは、同じ前記保持容量用給電配線に接続しており、
１フレーム期間中に１本の前記映像信号線に加わる前記映像信号は、当該映像信号線に前記ドレインが接続しているＴＦＴ素子を有する複数の前記画素のそれぞれに加える階調電圧が、当該複数の前記画素のうちの一方の端に位置する画素に加える階調電圧から他方の端に位置する画素に加える階調電圧まで、当該映像信号線に沿った画素の並び順で加わっており、かつ、
前記階調電圧の電位と前記共通電極の電位との関係が（１／Ｒ１）フレーム期間毎に反転しており、
１フレーム期間中に１本の前記保持容量用給電配線に加わる前記給電信号は、前記共通電極の電位との関係が（１／Ｒ２）フレーム期間毎に反転しており、かつ、
２本の隣接する前記走査信号線の間に配置された前記第２の副画素の前記第２の保持容量電極と、前記第１の副画素の前記第１の保持容量電極とに加わる前記給電信号は、それぞれの副画素において画素電極に加える階調電圧の電位と共通電極の電位との関係が同じ関係の場合は当該２つの副画素のうちの一方の副画素のＴＦＴ素子がオンになっている期間に反転することを特徴とする液晶表示装置。
【請求項２】
前記２本の隣接する前記走査信号線の間に配置された前記第２の副画素の前記第２の保持容量電極と、前記第１の副画素の前記第１の保持容量電極とに加わる前記給電信号は、１フレーム期間中の前記第１の副画素の前記第１のＴＦＴ素子がオンになる期間と、前記第２の副画素の前記第２のＴＦＴ素子がオンになる期間のうちの、遅い方の期間に反転することを特徴とする請求項１に記載の液晶表示装置。
【請求項３】
前記２本の隣接する前記走査信号線の間に配置された前記第２の副画素の前記第２の保持容量電極と、前記第１の副画素の前記第１の保持容量電極とに加わる前記給電信号は、それぞれの副画素の画素電極に加える階調電圧の電位が共通電極の電位よりも高い場合に当該２つの副画素のＴＦＴ素子がオフになってから最初に生じる前記給電信号の電位の変動方向と、それぞれの副画素の画素電極に加える階調電圧の電位が共通電極の電位よりも低い場合に当該２つの副画素のＴＦＴ素子がオフになってから最初に生じる前記給電信号の電位の変動方向とが、反対の方向であることを特徴とする請求項１に記載の液晶表示装置。
【請求項４】
２本の隣接する前記映像信号線に加わる前記映像信号は、前記階調電圧の電位と前記共通電極の電位との関係が、同じタイミングで反転し、かつ、一方の前記映像信号線における前記階調電圧の電位と前記共通電極の電位との関係と、他方の前記映像信号線における前記階調電圧の電位と前記共通電極の電位との関係とが、反対の関係であることを特徴とする請求項１に記載の液晶表示装置。
【請求項５】
前記（１／Ｒ１）フレーム期間の分母Ｒ１は、３以上２０以下の整数のいずれかであることを特徴とする請求項１に記載の液晶表示装置。
【請求項６】
前記第１の画素電極と前記共通電極、前記第２の画素電極と前記共通電極は、それぞれ、前記液晶層を介して対向配置されていることを特徴とする請求項１に記載の液晶表示装置。
【発明の詳細な説明】
【技術分野】
【０００１】
本発明は、液晶表示装置に関し、特に、１つの画素が２つの副画素を有する液晶表示装置に適用して有効な技術に関するものである。
【背景技術】
【０００２】
従来、液晶表示装置には、ＶＡ方式やＴＮ方式などのいわゆる縦電界駆動方式の液晶表示装置がある。液晶材料を挟む一対の基板のうちの一方の基板に画素電極を配置し、他方の基板に共通電極を配置した液晶表示パネルを有するものがある。
【０００３】
また、縦電界駆動方式の液晶表示装置には、たとえば、１つの画素が第１のＴＦＴ素子および第１の画素電極を有する第１の副画素と、第２のＴＦＴ素子および第２の画素電極を有する第２の副画素からなる液晶表示装置がある（たとえば、特許文献１を参照。）。
【０００４】
特許文献１に記載された液晶表示装置における１つの前記画素の前記第１のＴＦＴ素子と前記第２のＴＦＴ素子とは、ゲートが同じ前記走査信号線に接続し、ドレインが同じ前記映像信号線に接続している。このとき、前記第１の副画素は、前記第１の画素電極、共通電極、および液晶層により形成される第１の液晶容量と、前記第１の画素電極、第１の保持容量電極、および絶縁層により形成される第１の保持容量とを有する。またこのとき、前記第２の副画素は、前記第２の画素電極、前記共通電極、および前記液晶層により形成される第２の液晶容量と、前記第２の画素電極、第２の保持容量電極、および絶縁層により形成される第２の保持容量とを有する。そして、１つの前記画素の前記第１の保持容量電極と前記第２の保持容量電極とは、電気的に独立している。
【０００５】
このような液晶表示装置は、１つの画素の第１の画素電極および第２の画素電極に同じ電位の階調電圧を加えた後、たとえば、第１の保持容量電極の電位と第２の保持容量電極の電位を反対の方向に変動させることで、第１の副画素の輝度と第２の副画素の輝度に明暗の差が生じるようにし、視野角特性を向上させている。
【０００６】
【特許文献１】特開２００５−１８９８０４号公報
【発明の開示】
【発明が解決しようとする課題】
【０００７】
特許文献１に記載された液晶表示装置では、１フレーム期間中におけるそれぞれの画素の画素電極の電位と共通電極の電位との関係が、たとえば、ドット反転と呼ばれる関係になるようにしている。このとき、１フレーム期間中に１本の映像信号線に加える映像信号は、当該映像信号線に沿って並んだ複数の画素の画素電極に加える階調電圧の電位と共通電極の電位との関係が、画素毎に反転している。
【０００８】
このように、１フレーム期間中に１本の映像信号線に加える映像信号における階調電圧の電位と共通電極の電位との関係を画素毎に反転させると、映像信号を生成する駆動回路（データドライバ）の消費電力が増大する。そのため、このような液晶表示装置の駆動方法には、たとえば、液晶表示装置の消費電力が増大するという問題がある。
【０００９】
また、１フレーム期間中に１本の映像信号線に加える映像信号における階調電圧の電位と共通電極の電位との関係を画素毎に反転させると、映像信号を生成する駆動回路（データドライバ）の発熱量が増大する。そのため、このような液晶表示装置の駆動方法には、たとえば、映像信号を生成する駆動回路が誤動作をしたり、故障したりする可能性が高くなるという問題がある。
【００１０】
特許文献１に記載された液晶表示装置において、上記のような問題が発生することを防ぐには、たとえば、１フレーム期間中に１本の映像信号線に加える映像信号における階調電圧の電位と共通電極の電位との関係が（１／Ｒ）フレーム期間毎に反転するようにすればよいと考えられる。なお、（１／Ｒ）フレーム期間の分母Ｒは、たとえば、２以上、当該映像信号線に接続している画素の数から２を減じた数以下の整数である。
【００１１】
ところで、特許文献１に記載された液晶表示装置のように、１つの画素を第１の副画素と第２の副画素に分け、それぞれの副画素に明暗の差が生じるようにする場合、走査信号線の延在方向で隣接する２つの画素は第１の副画素と第２の副画素の明暗の関係が反転し、映像信号線の延在方向で隣接する２つの画素は第１の副画素と第２の副画素の明暗の関係が同じであることが望ましい。
【００１２】
しかしながら、特許文献１に記載された液晶表示装置において、たとえば、１フレーム期間中に１本の映像信号線に加える映像信号における階調電圧の電位と共通電極の電位との関係を（１／Ｒ）フレーム期間毎に反転するようにした場合、反転する前後の画素における第１の副画素と第２の副画素の明暗の関係が反転する。そのため、特許文献１に記載された液晶表示装置において、１フレーム期間中に１本の映像信号線に加える映像信号を（１／Ｒ）フレーム期間毎に反転させると、たとえば、第１の副画素と第２の副画素の明暗の関係が反転する位置に横筋が発生し、画質が劣化するという問題がある。
【００１３】
本発明の目的は、１つの画素が第１の副画素と第２の副画素からなる液晶表示装置の消費電力の低減と、画質の劣化の防止を両立させることが可能な技術を提供することにある。
【００１４】
本発明の前記ならびにその他の目的と新規な特徴は、本明細書の記述および添付図面によって明らかになるであろう。
【課題を解決するための手段】
【００１５】
本願において開示される発明のうち、代表的なものの概略を説明すれば、以下の通りである。
【００１６】
（１）複数本の走査信号線と、複数本の映像信号線と、複数の画素と、前記複数本の走査信号線のそれぞれに走査信号を加える第１の回路と、前記複数本の映像信号線のそれぞれに映像信号を加える第２の回路とを有し、前記画素は、第１のＴＦＴ素子および第１の画素電極を有する第１の副画素と、第２のＴＦＴ素子および第２の画素電極を有する第２の副画素とからなり、前記第１の副画素は、前記第１の画素電極、共通電極、および液晶層により形成される第１の液晶容量と、前記第１の画素電極、第１の保持容量電極、および絶縁層により形成される第１の保持容量とを有し、前記第２の副画素は、前記第２の画素電極、前記共通電極、および前記液晶層により形成される第２の液晶容量と、前記第２の画素電極、第２の保持容量電極、および絶縁層により形成される第２の保持容量とを有し、１つの前記画素の前記第１のＴＦＴ素子と前記第２のＴＦＴ素子とは、ゲートが同じ前記走査信号線に接続し、ドレインが同じ前記映像信号線に接続しており、１つの前記画素の前記第１の保持容量電極と前記第２の保持容量電極とは、電気的に独立しており、２本の隣接する走査信号線の間には、一方の前記走査信号線にゲートが接続している前記第２のＴＦＴ素子を有する前記第２の副画素と、他方の前記走査信号線にゲートが接続している前記第１のＴＦＴ素子を有する前記第１の副画素とが配置されており、それぞれの前記画素における前記第１の副画素、前記走査信号線、および前記第２の副画素の位置関係が同じ関係である液晶表示装置であって、当該液晶表示装置は、前記第１の保持容量電極および前記第２の保持容量電極に保持容量形成用の給電信号を加える保持容量用給電配線および第３の回路を有し、２本の隣接する前記走査信号線の間に配置された前記第２の副画素の前記第２の保持容量電極と、前記第１の副画素の前記第１の保持容量電極とは、同じ前記保持容量用給電配線に接続しており、１フレーム期間中に１本の前記映像信号線に加わる前記映像信号は、当該映像信号線に前記ドレインが接続しているＴＦＴ素子を有する複数の前記画素のそれぞれに加える階調電圧が、当該複数の前記画素のうちの一方の端に位置する画素に加える階調電圧から他方の端に位置する画素に加える階調電圧まで、当該映像信号線に沿った画素の並び順で加わっており、かつ、前記階調電圧の電位と前記共通電極の電位との関係が（１／Ｒ１）フレーム期間毎に反転しており、１フレーム期間中に１本の前記保持容量用給電配線に加わる前記給電信号は、前記共通電極の電位との関係が（１／Ｒ２）フレーム期間毎に反転しており、かつ、２本の隣接する前記走査信号線の間に配置された前記第２の副画素の前記第２の保持容量電極と、前記第１の副画素の前記第１の保持容量電極とに加わる前記給電信号は、それぞれの副画素において画素電極に加える階調電圧の電位と共通電極の電位との関係が同じ関係の場合は当該２つの副画素のうちの一方の副画素のＴＦＴ素子がオンになっている期間に反転する液晶表示装置。
【００１７】
（２）前記（１）の液晶表示装置において、前記２本の隣接する前記走査信号線の間に配置された前記第２の副画素の前記第２の保持容量電極と、前記第１の副画素の前記第１の保持容量電極とに加わる前記給電信号は、１フレーム期間中の前記第１の副画素の前記第１のＴＦＴ素子がオンになる期間と、前記第２の副画素の前記第２のＴＦＴ素子がオンになる期間のうちの、遅い方の期間に反転する液晶表示装置。
【００１８】
（３）前記（１）の液晶表示装置において、前記２本の隣接する前記走査信号線の間に配置された前記第２の副画素の前記第２の保持容量電極と、前記第１の副画素の前記第１の保持容量電極とに加わる前記給電信号は、それぞれの副画素の画素電極に加える階調電圧の電位が共通電極の電位よりも高い場合に当該２つの副画素のＴＦＴ素子がオフになってから最初に生じる前記給電信号の電位の変動方向と、それぞれの副画素の画素電極に加える階調電圧の電位が共通電極の電位よりも低い場合に当該２つの副画素のＴＦＴ素子がオフになってから最初に生じる前記給電信号の電位の変動方向とが、反対の方向である液晶表示装置。
【００１９】
（４）前記（１）の液晶表示装置において、２本の隣接する前記映像信号線に加わる前記映像信号は、前記階調電圧の電位と前記共通電極の電位との関係が、同じタイミングで反転し、かつ、一方の前記映像信号線における前記階調電圧の電位と前記共通電極の電位との関係と、他方の前記映像信号線における前記階調電圧の電位と前記共通電極の電位との関係とが、反対の関係である液晶表示装置。
【００２０】
（５）前記（１）の液晶表示装置において、前記（１／Ｒ１）フレーム期間の分母Ｒ１は、３以上２０以下の整数のいずれかである液晶表示装置。
【００２１】
（６）前記（１）の液晶表示装置において、前記第１の画素電極と前記共通電極、前記第２の画素電極と前記共通電極は、それぞれ、前記液晶層を介して対向配置されている液晶表示装置。
【発明の効果】
【００２２】
本発明の液晶表示装置によれば、１つの画素が第１の副画素と第２の副画素からなる液晶表示装置の消費電力の低減と、画質の劣化の防止を両立させることができる。
【発明を実施するための最良の形態】
【００２３】
以下、本発明について、図面を参照して実施の形態（実施例）とともに詳細に説明する。
なお、実施例を説明するための全図において、同一機能を有するものは、同一符号を付け、その繰り返しの説明は省略する。
【００２４】
図１（ａ）および図１（ｂ）、図２（ａ）乃至図２（ｄ）は、本発明に関わる液晶表示装置の概略構成の一例を説明するための模式図である。
図１（ａ）は、本発明に関わる液晶表示装置における１画素の回路構成の一例を示す模式回路図である。図１（ｂ）は、図１（ａ）に示した回路の動作方法の一例を説明するための模式図である。
図２（ａ）は、本発明に関わる液晶表示装置の概略構成の一例を示す模式ブロック図である。図２（ｂ）は、液晶表示パネルの１つの画素の平面構成の一例を示す模式平面図である。図２（ｃ）は、図２（ｂ）のＡ−Ａ’線における断面構成の一例を示す模式断面図である。図２（ｄ）は、図２（ｂ）のＢ−Ｂ’線における断面構成の一例を示す模式断面図である。
【００２５】
本発明に関わる液晶表示装置は、ＶＡ方式などの縦電界駆動方式であり、１つの画素を、たとえば、図１（ａ）に示すような回路構成にする。このとき、１つの画素ＵＰは、第１の副画素ＳＰ１と、第２の副画素ＳＰ２とからなる。またこのとき、第１の副画素ＳＰ１は、第１のＴＦＴ素子Ｔｒ１、第１の画素電極ＰＸ１、第１の液晶容量Ｃ１ＬＣ、および第１の保持容量Ｃ１ＳＴＧを有する。また、第２の副画素ＳＰ２は、第２のＴＦＴ素子Ｔｒ２、第２の画素電極ＰＸ２、第２の液晶容量Ｃ２ＬＣ、および第２の保持容量Ｃ２ＳＴＧを有する。
【００２６】
第１の液晶容量Ｃ１ＬＣは、第１の画素電極ＰＸ１、共通電極（図示しない）、および液晶層（図示しない）により形成され、第１の保持容量Ｃ１ＳＴＧは、第１の画素電極ＰＸ１、第１の保持容量電極（図示しない）、および絶縁層（図示しない）により形成される。また、第２の液晶容量Ｃ２ＬＣは、第２の画素電極ＰＸ、共通電極（図示しない）、および液晶層（図示しない）により形成され、第２の保持容量Ｃ２ＳＴＧは、第２の画素電極ＰＸ２、第２の保持容量電極（図示しない）、および絶縁層（図示しない）により形成される。
【００２７】
またこのとき、１つの画素の第１のＴＦＴ素子Ｔｒ１と第２のＴＦＴ素子Ｔｒ２とは、ゲートが同じ走査信号線ＧＬに接続し、ドレインが同じ映像信号線ＤＬに接続している。また、１つの画素の第１の保持容量電極と第２の保持容量電極とは、異なる保持容量用給電配線ＳｔｇＬに接続している。
【００２８】
このような液晶表示装置において、１つの画素の輝度（階調）を表現するときには、従来、走査信号線ＧＬ、映像信号線ＤＬ、第１の保持容量電極、および第２の保持容量電極のそれぞれに加える信号を、たとえば、図１（ｂ）に示すような信号にしている。
【００２９】
１本の映像信号線ＤＬに加える映像信号ＤＡＴＡは、当該映像信号線ＤＬに接続している複数の画素の画素電極に加える階調電圧が、たとえば、画素の並び順と同じ順番で加わっている。またこのとき、階調電圧の電位と共通電極の電位との関係は、たとえば、画素毎（１水平期間Ｈ毎）に反転している。
【００３０】
走査信号線ＧＬに加える走査信号ＶＧは、ゲートが当該走査信号線ＧＬに接続しているＴＦＴ素子を有する画素の画素電極に加える階調電圧が映像信号線に加わる水平期間Ｈの間の所定の期間だけＴＦＴ素子をオンにするような信号である。そして、走査信号ＶＧによりＴＦＴ素子がオンになっている期間に、第１の画素電極ＰＸ１および第２の画素電極ＰＸ２に階調電圧が書き込まれる。このとき、第１の画素電極ＰＸ２の電位ＶＰＸ１および第２の画素電極ＰＸ２の電位ＶＰＸ２は、同じ電位であり、共通電極の電位Ｖｃｏｍとの電位差が同じである。
【００３１】
またこのとき、第１の保持容量電極の電位ＶＳ１は、たとえば、ＴＦＴ素子がオフになった直後に上昇させ、第２の保持容量電極の電位ＶＳ２は、たとえば、ＴＦＴ素子がオフになった直後に下降させる。
【００３２】
このようにすると、第１の画素電極の電位ＶＰＸ１は、ＴＦＴ素子がオフになった直後、第１の保持容量電極の電位ＶＳ１の上昇にともなって上昇し、第２の画素電極の電位ＶＰＸ２は、ＴＦＴ素子がオフになった直後、第２の保持容量電極の電位ＶＳ２の下降にともなって下降する。そのため、１つの画素の第１の副画素ＳＰ１と第２の副画素ＳＰ２には、画素電極の電位の変動量に応じた明暗の差が生じる。本発明に関わる液晶表示装置では、１つの画素における輝度（階調）をこのような方法で表現することで、視野角特性を向上させる。
【００３３】
また、本発明に関わる液晶表示装置は、たとえば、図２（ａ）に示すように、複数の走査信号線ＧＬ、複数の映像信号線ＤＬ、複数の画素、および複数の保持容量用給電配線ＳｔｇＬを有する液晶表示パネル１と、複数の走査信号線ＧＬのそれぞれに走査信号を加える第１の駆動回路２と、複数の映像信号線ＤＬのそれぞれに映像信号を加える第２の駆動回路３と、複数の保持容量用給電配線ＳｔｇＬのそれぞれに保持容量用の給電信号を加える第３の駆動回路４と、第１の駆動回路２、第２の駆動回路３、および第３の駆動回路４の動作を制御する制御回路５とを有する。また、図２（ａ）には示していないが、本発明に関わる液晶表示装置は、そのほかに、たとえば、バックライトユニットなどを有する。
【００３４】
液晶表示パネル１は、複数の画素が走査信号線ＧＬの延在方向（横方向）および映像信号線ＤＬの延在方向（縦方向）にマトリクス状に配置されている。このとき、１本の走査信号線ＧＬには、横方向に並んだ複数の画素のＴＦＴ素子のゲートが接続している。またこのとき、１本の映像信号線ＤＬには、縦方向に並んだ複数の画素のＴＦＴ素子のドレインが接続している。
【００３５】
また、複数の保持容量用給電配線ＳｔｇＬは、隣接する２本の走査信号線ＧＬの間、および複数の走査信号線ＧＬの外側に１本ずつ配置されている。そして、隣接する２本の走査信号線ＧＬの間にある第２の保持容量電極と第１の保持容量電極は、同じ保持容量用給電配線ＳｔｇＬに接続している。
【００３６】
なお、本明細書では、マトリクス状に配置された各画素における第１の副画素ＳＰ１と第２の副画素ＳＰ２について、走査信号線ＧＬの上側に位置する副画素を第１の副画素ＳＰ１といい、走査信号線ＧＬの下側に位置する副画素を第２の副画素ＳＰ２という。
【００３７】
またこのとき、液晶表示パネル１における１つの画素は、たとえば、図２（ｂ）乃至図２（ｄ）に示したような構成になっている。液晶表示パネル１は、第１の基板６と第２の基板７との間に液晶材料８（液晶層）が配置された表示パネルであり、第１の基板６の液晶材料８と対向する面の上には、走査信号線ＧＬ、保持容量用給電配線ＳｔｇＬ、第１の絶縁層９、第１のＴＦＴ素子Ｔｒの半導体層１０ａおよびソース電極１１ａ、第２のＴＦＴ素子Ｔｒ２の半導体層１０ｂおよびソース電極１１ｂ、映像信号線ＤＬ、第２の絶縁層１２、第１の画素電極ＰＸ１、第２の画素電極ＰＸ２、および第１の配向膜１３が形成されている。また、第１の基板６の、前記走査信号線などが形成された面とは反対側の面には、第１の偏光板１４が貼り付けられている。
【００３８】
このとき、走査信号線ＧＬは、第１のＴＦＴ素子Ｔｒ１および第２のＴＦＴ素子Ｔｒ２のゲート電極として機能する部分を有する。また、第１の絶縁層９は、第１のＴＦＴ素子Ｔｒ１および第２のＴＦＴ素子Ｔｒ２のゲート絶縁膜として機能する部分を有する。また、映像信号線ＤＬは、第１のＴＦＴ素子Ｔｒ１および第２のＴＦＴ素子Ｔｒ２のドレイン電極として機能する部分を有する。また、第１の画素電極ＰＸ１は、第２の絶縁層１２に形成された第１のコンタクトホール（図示しない）を介して第１のＴＦＴ素子Ｔｒのソース電極１１ａに接続している。また、第２の画素電極ＰＸ２は、第２の絶縁層１２に形成された第２のコンタクトホール（図示しない）を介して第２のＴＦＴ素子Ｔｒ２のソース電極１１ｂに接続している。
【００３９】
また、保持容量用給電配線ＳｔｇＬは、第１の画素電極ＰＸ１と重なる部分が第１の保持容量電極として機能し、第２の画素電極ＰＸ２と重なる部分が第２の保持容量電極として機能する。
【００４０】
一方、第２の基板７の液晶材料８と対向する面の上には、遮光膜１５（ブラックマトリクス）、カラーフィルタ１６、平坦化層１７、共通電極１８、および第２の配向膜１９が形成されている。また、第２の基板７の、遮光膜１５などが形成された面とは反対側の面には、第２の偏光板２０が貼り付けられている。
【００４１】
図２（ｂ）乃至図２（ｄ）に示したような構成を有する液晶表示パネル１の形成方法については、種々の方法が知られている。そのため、本明細書では、液晶表示パネル１の形成方法についての説明を省略する。
【００４２】
図３は、本発明に関わる液晶表示装置における各副画素の明暗の関係の一例を示す模式図である。
図４は、従来の液晶表示装置の駆動方法の一例を示す模式図である。
【００４３】
本発明に関わる液晶表示装置は、前述のように、１つの画素ＵＰの第１の画素電極ＰＸ１および第２の画素電極ＰＸ２に同じ電位の階調電圧を書き込んだ後、第１の保持容量電極の電位ＶＳ１と第２の保持容量電極の電位ＶＳ２を変動させ、第１の副画素ＳＰ１の輝度と第２の副画素ＳＰ２の輝度に明暗の差が生じるようにする。
【００４４】
このとき、１フレーム期間における各副画素ＳＰ１，ＳＰ２の明暗の関係は、たとえば、図３に示すように、副画素単位で市松格子状になるようにすることが望ましい。すなわち、走査信号線ＧＬの延在方向（横方向）に並んでいる画素は、隣接する２つの画素における第１の副画素ＳＰ１と第２の副画素ＳＰ２の明暗の関係が反対の関係になるようにし、映像信号線ＤＬの延在方向（縦方向）に並んでいる画素は、すべての画素における第１の副画素ＳＰ１と第２の副画素ＳＰ２の明暗の関係が同じ関係になるようにすることが望ましい。
【００４５】
このような副画素の明暗の関係を実現するために、従来の液晶表示装置では、たとえば、図４に示すような方法で各画素（副画素）を駆動させている。なお、図４において、Ｔ０はフレーム期間の開始時刻であり、Ｈは１水平選択期間である。また、ＶＧ１，ＶＧ２，ＶＧ３，ＶＧ４は、それぞれ、複数の走査信号線ＧＬに対して、上端に配置された走査信号線から順にＧＬ１，ＧＬ２，ＧＬ３，ＧＬ４，・・・と番号をつけたときに走査信号線ＧＬ１，ＧＬ２，ＧＬ３，ＧＬ４に加わる走査信号である。また、ＶＳ１，ＶＳ２，ＶＳ３，ＶＳ４は、それぞれ、複数の保持容量用給電配線ＳｔｇＬに対して、上端に配置された給電配線から順にＳｔｇＬ１，ＳｔｇＬ２，ＳｔｇＬ３，ＳｔｇＬ４，・・・と番号をつけたときに給電配線ＳｔｇＬ１，ＳｔｇＬ２，ＳｔｇＬ３，ＳｔｇＬ４に加わる信号である。
【００４６】
このとき、ゲートが走査信号線ＧＬ１に接続している第１の副画素ＳＰ１および第２の副画素ＳＰ２は、走査信号ＶＧ１により第１のＴＦＴ素子Ｔｒ１および第２のＴＦＴ素子Ｔｒ２がオンになっている期間に映像信号ＤＡＴＡの階調電圧が書き込まれる。またこのとき、第１の画素電極ＰＸ１の電位ＶＰＸ１および第２の画素電極ＰＸ２の電位ＶＰＸ２は、共通電極の電位Ｖｃｏｍよりも高く、かつ、ほぼ同じ電位である。
【００４７】
しかしながら、第１のＴＦＴ素子Ｔｒ１および第２のＴＦＴ素子Ｔｒ２がオフになった後、第１の副画素ＳＰ１の第１の保持容量電極と接続している給電配線ＳｔｇＬ１に加わる信号ＶＳ１の電位は上昇し、第２の副画素ＳＰ２の第２の保持容量電極と接続している給電配線ＳｔｇＬ２に加わる信号の電位ＶＳ２は下降する。そのため、第１の副画素ＳＰ１は、第１の画素電極の電位ＶＰ１が上昇して共通電極の電位Ｖｃｏｍとの電位差が大きくなり、明るい表示になる。一方、第２の副画素ＳＰ２は、第２の画素電極の電位ＶＰ２が下降して共通電極の電位Ｖｃｏｍとの電位差が小さくなり、暗い表示になる。
【００４８】
また、ゲートが走査信号線ＧＬ２に接続している第１の副画素ＳＰ１および第２の副画素ＳＰ２は、走査信号ＶＧ２により第１のＴＦＴ素子Ｔｒ１および第２のＴＦＴ素子Ｔｒ２がオンになっている期間に映像信号ＤＡＴＡの階調電圧が書き込まれる。このとき、第１の画素電極ＰＸ１の電位ＶＰＸ１および第２の画素電極ＰＸ２の電位ＶＰＸ２は、共通電極の電位Ｖｃｏｍよりも低く、かつ、ほぼ同じ電位である。
【００４９】
しかしながら、第１のＴＦＴ素子Ｔｒ１および第２のＴＦＴ素子Ｔｒ２がオフになった後、第１の副画素ＳＰ１の第１の保持容量電極と接続している給電配線ＳｔｇＬ２に加わる信号ＶＳ２の電位は下降し、第２の副画素ＳＰ２の第２の保持容量電極と接続している給電配線ＳｔｇＬ３に加わる信号ＶＳ３の電位は上昇する。そのため、第１の副画素ＳＰ１は、第１の画素電極の電位ＶＰ１が下降して共通電極の電位Ｖｃｏｍとの電位差が大きくなり、明るい表示になる。一方、第２の副画素ＳＰ２は、第２の画素電極の電位ＶＰ２が上昇して共通電極の電位Ｖｃｏｍとの電位差が小さくなり、暗い表示になる。
【００５０】
またこのとき、２本の隣接する映像信号線ＤＬに加わる映像信号を、階調電圧の電位と共通電位の電位Ｖｃｏｍとの関係が反転した関係になるようにすると、第１の画素電極の電位ＶＰＸ１および第２の画素電極の電位ＶＰＸ２の関係が反転するので、１つの画素における第１の副画素と第２の副画素の明暗の関係が反転する。
【００５１】
すなわち、従来の液晶表示装置では、ドット反転駆動をさせることで、１フレーム期間における各副画素の明暗の関係が市松格子状になるようにしている。
【００５２】
しかしながら、図２（ａ）に示したような液晶表示パネル１をドット反転駆動させると、第２の駆動回路３の消費電力や発熱量が増大する。
【００５３】
図５（ａ）乃至図５（ｃ）は、第２の駆動回路の消費電力や発熱量の増大を抑えることが可能な液晶表示パネルの駆動方法の一例とその問題点を説明する模式図である。
図５（ａ）は、１本の映像信号線に接続されたＴＦＴ素子を有する副画素のうちの、１フレーム期間の開始直後に階調電圧が書き込まれる副画素の動作の一例を示す模式図である。図５（ｂ）は、図５（ａ）の後で階調電圧が書き込まれる副画素の動作の一例を示す模式図である。図５（ｃ）は、図５（ａ）および図５（ｂ）に示した動作をさせたときの各副画素の明暗の関係の一例を示す模式図である。
なお、図５（ａ）および図５（ｂ）において、Ｔ０はフレーム期間の開始時刻であり、Ｈは１水平選択期間である。また、図５（ａ）において、ＶＧ１，ＶＧ２，ＶＧ３，ＶＧ４は、それぞれ、複数の走査信号線ＧＬに対して、上端に配置された走査信号線から順にＧＬ１，ＧＬ２，ＧＬ３，ＧＬ４，・・・と番号をつけたときに走査信号線ＧＬ１，ＧＬ２，ＧＬ３，ＧＬ４に加わる走査信号である。また、図５（ａ）において、ＶＳ１，ＶＳ２，ＶＳ３，ＶＳ４は、それぞれ、複数の保持容量用給電配線ＳｔｇＬに対して、上端に配置された給電配線から順にＳｔｇＬ１，ＳｔｇＬ２，ＳｔｇＬ３，ＳｔｇＬ４，・・・と番号をつけたときに給電配線ＳｔｇＬ１，ＳｔｇＬ２，ＳｔｇＬ３，ＳｔｇＬ４に加わる信号である。
また、図５（ｂ）において、ＶＧ４，ＶＧ５，ＶＧ６，ＶＧ７は、それぞれ、複数の走査信号線ＧＬに対して、上端に配置された走査信号線から順にＧＬ１，ＧＬ２，ＧＬ３，ＧＬ４，・・・と番号をつけたときに走査信号線ＧＬ４，ＧＬ５，ＧＬ６，ＧＬ７に加わる走査信号である。また、また、図５（ｂ）において、ＶＳ４，ＶＳ５，ＶＳ６，ＶＳ７は、それぞれ、複数の保持容量用給電配線ＳｔｇＬに対して、上端に配置された給電配線から順にＳｔｇＬ１，ＳｔｇＬ２，ＳｔｇＬ３，ＳｔｇＬ４，・・・と番号をつけたときに給電配線ＳｔｇＬ４，ＳｔｇＬ５，ＳｔｇＬ６，ＳｔｇＬ７に加わる信号である。
【００５４】
複数の画素が図２（ａ）に示したような配置になっている液晶表示パネル１において、１つの画素の第１の副画素ＳＰ１と第２の副画素ＳＰ２に明暗の差をつける際に、第２の駆動回路３の消費電力や発熱量の増大を抑える方法としては、たとえば、図５（ａ）および図５（ｂ）に示したように、１フレーム期間中に１本の映像信号線ＤＬに加える映像信号ＤＡＴＡにおける階調電圧の電位と共通電位の電位との関係を、（１／Ｒ１）フレーム期間毎に反転させる方法がある。図５（ａ）および図５（ｂ）に示した例では、階調電圧の電位と共通電位の電位との関係を４画素（４×Ｈ期間）毎に反転させている。このとき、１本の映像信号線ＤＬに接続している画素がＮ個であれば、（１／Ｒ１）フレーム期間の分母Ｒ１は、Ｎ／４、またはＮ／４に近い整数になる。
【００５５】
このとき、ゲートが走査信号線ＧＬ１に接続している第１の副画素ＳＰ１および第２の副画素ＳＰ２は、走査信号ＶＧ１により第１のＴＦＴ素子Ｔｒ１および第２のＴＦＴ素子Ｔｒ２がオンになっている期間に映像信号ＤＡＴＡの階調電圧が書き込まれる。またこのとき、第１の画素電極ＰＸ１の電位ＶＰＸ１および第２の画素電極ＰＸ２の電位ＶＰＸ２は、共通電極の電位Ｖｃｏｍよりも高く、かつ、ほぼ同じ電位である。
【００５６】
しかしながら、第１のＴＦＴ素子Ｔｒ１および第２のＴＦＴ素子Ｔｒ２がオフになった後、第１の副画素ＳＰ１の第１の保持容量電極と接続している給電配線ＳｔｇＬ１に加わる信号ＶＳ１の電位は上昇し、第２の副画素ＳＰ２の第２の保持容量電極と接続している給電配線ＳｔｇＬ２に加わる信号の電位ＶＳ２は下降する。そのため、第１の副画素ＳＰ１は、第１の画素電極の電位ＶＰ１が上昇して共通電極の電位Ｖｃｏｍとの電位差が大きくなり、明るい表示になる。一方、第２の副画素ＳＰ２は、第２の画素電極の電位ＶＰ２が下降して共通電極の電位Ｖｃｏｍとの電位差が小さくなり、暗い表示になる。
【００５７】
また、ゲートが走査信号線ＧＬ２に接続している第１の副画素ＳＰ１および第２の副画素ＳＰ２は、走査信号ＶＧ２により第１のＴＦＴ素子Ｔｒ１および第２のＴＦＴ素子Ｔｒ２がオンになっている期間に映像信号ＤＡＴＡの階調電圧が書き込まれる。このとき、第１の画素電極ＰＸ１の電位ＶＰＸ１および第２の画素電極ＰＸ２の電位ＶＰＸ２は、共通電極の電位Ｖｃｏｍよりも高く、かつ、ほぼ同じ電位である。
【００５８】
しかしながら、第１のＴＦＴ素子Ｔｒ１および第２のＴＦＴ素子Ｔｒ２がオフになった後、第１の副画素ＳＰ１の第１の保持容量電極と接続している給電配線ＳｔｇＬ１に加わる信号ＶＳ２の電位は下降し、第２の副画素ＳＰ２の第２の保持容量電極と接続している給電配線ＳｔｇＬ３に加わる信号ＶＳ３の電位は上昇する。そのため、第１の副画素ＳＰ１は、第１の画素電極の電位ＶＰ１が下降して共通電極の電位Ｖｃｏｍとの電位差が小さくなり、暗い表示になる。一方、第２の副画素ＳＰ２は、第２の画素電極の電位ＶＰ２が上昇して共通電極の電位Ｖｃｏｍとの電位差が大きくなり、明るい表示になる。
【００５９】
また、ゲートが走査信号線ＧＬ４に接続している第２の副画素ＳＰ２は、走査信号ＶＧ４により第２のＴＦＴ素子Ｔｒ２がオンになっている期間に映像信号ＤＡＴＡの階調電圧が書き込まれる。このとき、当該第２の副画素の第２の画素電極ＰＸ２の電位ＶＰＸ２は、共通電極の電位Ｖｃｏｍよりも高い。そして、当該第２の副画素の第２のＴＦＴ素子Ｔｒ２がオフになった後、当該第２の副画素ＳＰ２の第２の保持容量電極と接続している給電配線ＳｔｇＬ５に加わる信号ＶＳ５の電位は上昇するので、当該第２の副画素は明るい表示になる。
【００６０】
一方、ゲートが走査信号線ＧＬ５に接続している第１の副画素ＳＰ１は、走査信号ＶＧ５により第１のＴＦＴ素子Ｔｒ１がオンになっている期間に映像信号ＤＡＴＡの階調電圧が書き込まれる。このとき、当該第１の副画素の第１の画素電極ＰＸ１の電位ＶＰＸ１は、共通電極の電位Ｖｃｏｍよりも低い。そして、当該第１の副画素の第１のＴＦＴ素子Ｔｒ１がオフになった後、当該第１の副画素ＳＰ１の第１の保持容量電極と接続している給電配線ＳｔｇＬ５に加わる信号ＶＳ５の電位は上昇するので、当該第１の副画素は暗い表示になる。  
【００６１】
また、詳細な説明は省略するが、図５（ａ）および図５（ｂ）に示したその他の副画素の画素電極の電位は、それぞれ、図に示したような変化をする。
【００６２】
また、図５（ａ）および図５（ｂ）に示したような映像信号ＤＡＴＡが加わる映像信号線と隣接する別の映像信号線には、階調電圧の電位と共通電極の電位との関係が反転している映像信号が加わる。
【００６３】
このとき、それぞれの画素の第１の副画素と第２の副画素の明暗の関係は、たとえば、図５（ｃ）に示すようになり、市松格子状にはならない。そのため、このような表示方法では、横筋が発生し、画質が劣化するという問題がある。
【実施例】
【００６４】
図６（ａ）乃至図６（ｅ）は、本発明による一実施例の液晶表示装置の駆動方法の一例を説明するための模式図である。
図６（ａ）は、第１の映像信号線に接続されたＴＦＴ素子を有する副画素のうちの、１フレーム期間の開始直後に階調電圧が書き込まれる副画素の動作の一例を示す模式図である。図６（ｂ）は、図６（ａ）の後で階調電圧が書き込まれる副画素の動作の一例を示す模式図である。図６（ｃ）は、第１の映像信号線と隣接する第２の映像信号線に接続されたＴＦＴ素子を有する副画素のうちの、１フレーム期間の開始直後に階調電圧が書き込まれる副画素の動作の一例を示す模式図である。図６（ｄ）は、図６（ｃ）の後で階調電圧が書き込まれる副画素の動作の一例を示す模式図である。図６（ｅ）は、本実施例の駆動方法における各副画素の明暗の関係の一例を示す模式図である。
【００６５】
本実施例では、図２（ａ）に示したような構成の液晶表示装置を駆動させるときに、以下のような方法で駆動させることで、第２の駆動回路３の消費電力や発熱量の増大を抑えるとともに、画質の劣化を防ぐ。
【００６６】
まず、液晶表示パネルに配置された複数の映像信号線のうちの第１の映像信号線に接続された画素は、たとえば、図６（ａ）および図６（ｂ）に示したような方法で駆動させる。
なお、図６（ａ）および図６（ｂ）において、Ｔ０はフレーム期間の開始時刻であり、Ｈは１水平選択期間である。また、図６（ａ）において、ＶＧ１，ＶＧ２，ＶＧ３，ＶＧ４は、それぞれ、複数の走査信号線ＧＬに対して、上端に配置された走査信号線から順にＧＬ１，ＧＬ２，ＧＬ３，ＧＬ４，・・・と番号をつけたときに走査信号線ＧＬ１，ＧＬ２，ＧＬ３，ＧＬ４に加わる走査信号である。また、図６（ａ）において、ＶＳ１，ＶＳ２，ＶＳ３，ＶＳ４は、それぞれ、複数の保持容量用給電配線ＳｔｇＬに対して、上端に配置された給電配線から順にＳｔｇＬ１，ＳｔｇＬ２，ＳｔｇＬ３，ＳｔｇＬ４，・・・と番号をつけたときに給電配線ＳｔｇＬ１，ＳｔｇＬ２，ＳｔｇＬ３，ＳｔｇＬ４に加わる信号である。
また、図６（ｂ）において、ＶＧ４，ＶＧ５，ＶＧ６，ＶＧ７は、それぞれ、複数の走査信号線ＧＬに対して、上端に配置された走査信号線から順にＧＬ１，ＧＬ２，ＧＬ３，ＧＬ４，・・・と番号をつけたときに走査信号線ＧＬ４，ＧＬ５，ＧＬ６，ＧＬ７に加わる走査信号である。また、また、図６（ｂ）において、ＶＳ４，ＶＳ５，ＶＳ６，ＶＳ７は、それぞれ、複数の保持容量用給電配線ＳｔｇＬに対して、上端に配置された給電配線から順にＳｔｇＬ１，ＳｔｇＬ２，ＳｔｇＬ３，ＳｔｇＬ４，・・・と番号をつけたときに給電配線ＳｔｇＬ４，ＳｔｇＬ５，ＳｔｇＬ６，ＳｔｇＬ７に加わる信号である。
【００６７】
また、本実施例において、１フレーム期間中に第１の映像信号線に加える映像信号ＤＡＴＡは、当該映像信号線に接続された複数の画素のうちの、一方の端に位置する画素の階調電圧から他方の端に位置する画素の階調電圧までが、画素の並び順と同じ順番で並ぶようにする。このとき、階調電圧の電位と共通電極の電位との関係は、たとえば、４画素（４水平選択期間）毎に反転させる。
【００６８】
このとき、ゲートが走査信号線ＧＬ１に接続している第１の副画素ＳＰ１および第２の副画素ＳＰ２は、走査信号ＶＧ１により第１のＴＦＴ素子Ｔｒ１および第２のＴＦＴ素子Ｔｒ２がオンになっている期間に映像信号ＤＡＴＡの階調電圧が書き込まれる。またこのとき、第１の画素電極ＰＸ１の電位ＶＰＸ１および第２の画素電極ＰＸ２の電位ＶＰＸ２は、共通電極の電位Ｖｃｏｍよりも高く、かつ、ほぼ同じ電位である。
【００６９】
またこのとき、第１の副画素ＳＰ１の第１の保持容量電極と接続している給電配線ＳｔｇＬ１に加わる信号ＶＳ１は、第１のＴＦＴ素子Ｔｒ１がオンになっている期間に電位が下降し、当該第１のＴＦＴ素子Ｔｒ１がオフになった後の最初の電位の変動が上昇するような信号にする。こうすると、第１の副画素ＳＰ１は、明るい表示になる。
【００７０】
またこのとき、第２の副画素ＳＰ２の第２の保持容量電極と接続している給電配線ＳｔｇＬ２に加わる信号ＶＳ２は、ゲートが走査信号線ＧＬ２に接続している第１のＴＦＴ素子および第２のＴＦＴ素子がオンになっている期間に電位が下降する信号にする。こうすると、第２の副画素ＳＰ２の第２の保持容量電極は、第２のＴＦＴ素子Ｔｒ２がオフになった後の最初の電位の変動が下降する変動になるので、暗い表示になる。
【００７１】
また、繰り返しの説明は省略するが、ゲートが走査信号線ＧＬ２に接続しているＴＦＴ素子を有する画素の第１の副画素から、ゲートが走査信号線ＧＬ４に接続しているＴＦＴ素子を有する画素の第１の副画素までは、同様の方法で駆動させる。
【００７２】
また、詳細な説明は省略するが、ゲートが走査信号線ＧＬ５に接続しているＴＦＴ素子を有する画素の第２の副画素から、ゲートが走査信号線ＧＬ８に接続しているＴＦＴ素子を有する画素の第１の副画素までは、上記の方法と同様の方法で駆動させる。ただし、この区間は、給電配線ＳｔｇＬに加わる信号ＶＳは、当該給電配線と接続している第１の保持容量電極を有する第１の副画素ＳＰ１の第１のＴＦＴ素子がオンになっている期間に電位が上昇する信号にする。
【００７３】
また、走査信号線ＧＬ４に接続している第２の副画素の第２の保持容量電極および走査信号線ＧＬ５に接続している第１の副画素の第１の保持容量電極に接続している給電配線ＳｔｇＬのように、２つの副画素における画素電極の電位と共通電極の電位との関係が反転している箇所の給電配線の信号ＶＳは、従来のように、当該２つの副画素のＴＦＴ素子がオフになった後、上昇または下降させる。
【００７４】
また、図６（ａ）および図６（ｂ）に示したような映像信号ＤＡＴＡが加わる映像信号線と隣接する映像信号線に加える映像信号ＤＡＴＡは、たとえば、図６（ｃ）および図６（ｄ）に示すように、階調電圧の電位と共通電極の電位との関係を反転させる。このとき、それぞれの保持容量用給電配線に加わる信号は、図６（ａ）および図６（ｂ）に示した例と同じタイミングで、同じ方向に変動する。そのため、それぞれの副画素の画素電極の電位は、図６（ｃ）および図６（ｄ）に示したような変化をする。
【００７５】
したがって、図６（ａ）乃至図６（ｄ）のような方法で各画素を駆動させた場合、各画素における第１の副画素と第２の副画素の極性および明暗の関係は、図６（ｅ）に示すように、副画素単位での市松格子状の関係になる。
【００７６】
なお、図６（ｅ）において、＋と記した副画素は、画素電極の電位が共通電極の電位よりも高いことを意味し、−と記した副画素は、画素電極の電位が共通電極の電位よりも高いことを意味する。また、図６（ｅ）において、＋または−が丸で囲まれている副画素は、保持容量電極の変動により暗い表示になる副画素であることを意味する。
【００７７】
このように、本実施例の液晶表示装置の駆動方法では、１フレーム期間中に１本の映像信号線に加える映像信号における階調電圧の電位と共通電極の電位との関係を４画素毎に反転させつつ、階調電圧と各画素における第１の副画素と第２の副画素の明暗の関係を、副画素単位の市松格子状にすることができる。そのため、第２の駆動回路の消費電力および発熱量の増大を抑えつつ、横筋などによる画質の劣化も防ぐことができる。
【００７８】
なお、本実施例では、１フレーム期間中に１本の映像信号線に加える映像信号における階調電圧の電位と共通電極の電位との関係を４画素毎に反転させたが、これに限らず、１フレーム期間中に１本の映像信号線に加える映像信号における階調電圧の電位と共通電極の電位との関係が（１／Ｒ１）フレーム期間毎に反転するようにすれば、同様の効果が得られる。
【００７９】
図７は、１本の映像信号線に加える映像信号の反転回数と第２の駆動回路の温度との関係の一例を示す模式グラフ図である。
図７において、横軸Ｒ１は、１フレーム期間中に１本の映像信号線に加える映像信号における階調電圧の電位と共通電極の電位との関係を反転させる回数である。また、図７において、縦軸ＴＤＲＶは、階調電圧の電位と共通電極の電位との関係を（１／Ｒ１）フレーム期間毎に反転させながら所定の画像または映像を１２０分間表示したときの第２の駆動回路の温度である。
【００８０】
１本の映像信号線に加える映像信号における階調電圧の電位と共通電極の電位との関係を（１／Ｒ１）フレーム期間毎に反転する場合、分母のＲ１を大きくすると、たとえば、図７に示すように、Ｒ１が１００を超えるあたりから、第２の駆動回路３の温度ＴＤＲＶが急激に高くなる。そのため、１本の映像信号線に加える映像信号における映像信号における階調電圧の電位と共通電極の電位との関係を（１／Ｒ１）フレーム期間毎に反転する場合、分母のＲ１は、２以上１００以下の整数にすることが望ましい。またこのとき、分母のＲ１を、たとえば、３以上２０以下の整数にすれば、第２の駆動回路の温度の上昇を２℃から３℃程度に抑えることができる。
【００８１】
図８は、本実施例の液晶表示装置をフレーム反転駆動させたときの各画素の極性と明暗の関係の一例を示す模式図である。
図９は、本実施例の液晶表示装置をフレーム反転駆動させたときの各画素の極性と明暗の関係の別の一例を示す模式図である。
【００８２】
ところで、液晶表示装置を駆動させるときには、通常、それぞれの画素における極性、すなわち画素電極の電位と共通電極の電位を、あらかじめ定められたフレーム期間毎（たとえば、１フレーム期間毎）に反転させる。そのため、本実施例の液晶表示装置においても、それぞれの画素（副画素）における画素電極の電位と共通電極の電位を、たとえば、１フレーム期間毎に反転させる。
【００８３】
このとき、たとえば、それぞれの映像信号線に加える映像信号における階調電圧の電位と共通電極の電位との関係のみを、１フレーム期間毎に反転させると、あるフレーム期間は、図６（ｅ）に示したような状態で表示され、その次のフレーム期間は、たとえば、図８に示すような状態で表示される。すなわち、それぞれの画素（副画素）の極性とともに、それぞれの画素における第１の副画素と第２の副画素の明暗の関係も反転する。
【００８４】
これに対し、たとえば、それぞれの映像信号線に加える映像信号における階調電圧の電位と共通電極の電位との関係に加え、それぞれの保持容量用給電配線に加える給電信号の電位の変動の方向も、１フレーム期間毎に反転させると、あるフレーム期間は、図６（ｅ）に示したような状態で表示され、その次のフレーム期間は、たとえば、図９に示すような状態で表示される。すなわち、それぞれの画素（副画素）の極性は１フレーム期間毎に反転するが、それぞれの画素における第１の副画素と第２の副画素の明暗の関係も反転しない。
【００８５】
このように、本実施例の液晶表示装置は、図６（ｅ）に示した状態と図８に示した状態とをあらかじめ定められたフレーム期間毎に繰り返してもよいし、図６（ｅ）に示した状態と図９に示した状態とをあらかじめ定められたフレーム期間毎に繰り返してもよい。
【００８６】
以上、本発明を、前記実施例に基づき具体的に説明したが、本発明は、前記実施例に限定されるものではなく、その要旨を逸脱しない範囲において、種々変更可能であることはもちろんである。
【００８７】
たとえば、前記実施例では、図６（ａ）に示したように、第２の保持容量電極および第１の保持容量電極が接続している保持容量用給電配線の電位を変動させるときに、それぞれの保持容量電極を有する２つの副画素のうちの、あとで画素電極に階調電圧が書き込まれる第１の副画素の第１のＴＦＴ素子がオンになっている期間に変動させている。しかしながら、本発明の液晶表示装置の駆動方法では、これに限らず、先に画素電極に階調電圧が書き込まれる第２の副画素の第２のＴＦＴ素子がオンになっている期間に変動させてもよいことはもちろんである。
【００８８】
図２（ｂ）乃至図２（ｄ）に示した平面構成および断面構成は、本発明に関わる液晶表示装置の液晶表示パネル１における１つの画素の構成の一例であり、走査信号線、保持容量形成用給電配線、映像信号線、第１の画素電極および第２の画素電極などの平面形状が適宜変更可能であることはもちろんである。
【００８９】
また、図２（ｂ）乃至図２（ｄ）に示した第１のＴＦＴ素子および第２のＴＦＴ素子は、第１の基板の上に、ゲート電極、ゲート絶縁膜、半導体層がこの順番で積層されたボトムゲート型であるが、第１のＴＦＴ素子および第２のＴＦＴ素子は、これに限らず、第１の基板の上に、半導体層、ゲート絶縁膜、ゲート電極がこの順番で積層されたトップゲート型であってもよいことはもちろんである。
【図面の簡単な説明】
【００９０】
【図１（ａ）】本発明に関わる液晶表示装置における１画素の回路構成の一例を示す模式回路図である。
【図１（ｂ）】図１（ａ）に示した回路の動作方法の一例を説明するための模式図である。
【図２（ａ）】本発明に関わる液晶表示装置の概略構成の一例を示す模式ブロック図である。
【図２（ｂ）】液晶表示パネルの１つの画素の平面構成の一例を示す模式平面図である。
【図２（ｃ）】図２（ｂ）のＡ−Ａ’線における断面構成の一例を示す模式断面図である。
【図２（ｄ）】図２（ｂ）のＢ−Ｂ’線における断面構成の一例を示す模式断面図である。
【図３】本発明に関わる液晶表示装置における各副画素の明暗の関係の一例を示す模式図である。
【図４】従来の液晶表示装置の駆動方法の一例を示す模式図である。
【図５（ａ）】１本の映像信号線に接続されたＴＦＴ素子を有する副画素のうちの、１フレーム期間の開始直後に階調電圧が書き込まれる副画素の動作の一例を示す模式図である。
【図５（ｂ）】図５（ａ）の後で階調電圧が書き込まれる副画素の動作の一例を示す模式図である。
【図５（ｃ）】図５（ａ）および図５（ｂ）に示した動作をさせたときの各副画素の明暗の関係の一例を示す模式図である。
【図６（ａ）】第１の映像信号線に接続されたＴＦＴ素子を有する副画素のうちの、１フレーム期間の開始直後に階調電圧が書き込まれる副画素の動作の一例を示す模式図である。
【図６（ｂ）】図６（ａ）の後で階調電圧が書き込まれる副画素の動作の一例を示す模式図である。
【図６（ｃ）】第１の映像信号線と隣接する第２の映像信号線に接続されたＴＦＴ素子を有する副画素のうちの、１フレーム期間の開始直後に階調電圧が書き込まれる副画素の動作の一例を示す模式図である。
【図６（ｄ）】図６（ｃ）の後で階調電圧が書き込まれる副画素の動作の一例を示す模式図である。
【図６（ｅ）】本実施例の駆動方法における各副画素の明暗の関係の一例を示す模式図である。
【図７】１本の映像信号線に加える映像信号の反転回数と第２の駆動回路の温度との関係の一例を示す模式図である。
【図８】本実施例の液晶表示装置をフレーム反転駆動させたときの各画素の極性と明暗の関係の一例を示す模式図である。
【図９】本実施例の液晶表示装置をフレーム反転駆動させたときの各画素の極性と明暗の関係の別の一例を示す模式図である。
【符号の説明】
【００９１】
１…液晶表示パネル
２…第１の駆動回路
３…第２の駆動回路
４…第３の駆動回路
５…制御回路
６…第１の基板
７…第２の基板
８…液晶材料
９…第１の絶縁層
１０ａ，１０ｂ…半導体層
１１ａ，１１ｂ…ソース電極
１２…第２の絶縁層
１３…第１の配向膜
１４…第１の偏光板
１５…遮光膜
１６…カラーフィルタ
１７…平坦化膜
１８…共通電極
１９…第２の配向膜
２０…第２の偏光板
ＧＬ…走査信号線
ＤＬ…映像信号線
ＳｔｇＬ…保持容量用給電配線
ＳＰ１…第１の副画素
Ｔｒ１…第１のＴＦＴ素子
Ｃ１ＬＣ…第１の液晶容量
Ｃ１ＳＴＧ…第１の保持容量
ＳＰ２…第２の副画素
Ｔｒ２…第２のＴＦＴ素子
Ｃ２ＬＣ…第２の液晶容量
Ｃ２ＳＴＧ…第２の保持容量
【図１（ａ）】
2010134032.tif 000003
【図１（ｂ）】
2010134032.tif 000004
【図２（ａ）】
2010134032.tif 000005
【図２（ｂ）】
2010134032.tif 000006
【図２（ｃ）】
2010134032.tif 000007
【図２（ｄ）】
2010134032.tif 000008
【図３】
2010134032.tif 000009
【図４】
2010134032.tif 000010
【図５（ａ）】
2010134032.tif 000011
【図５（ｂ）】
2010134032.tif 000012
【図５（ｃ）】
2010134032.tif 000013
【図６（ａ）】
2010134032.tif 000014
【図６（ｂ）】
2010134032.tif 000015
【図６（ｃ）】
2010134032.tif 000016
【図６（ｄ）】
2010134032.tif 000017
【図６（ｅ）】
2010134032.tif 000018
【図７】
2010134032.tif 000019
【図８】
2010134032.tif 000020
【図９】
2010134032.tif 000021